(57)【要約】【課題】本発明は、商品登録する商品を光学的読み取り部および無線タグ読み取り部を移動させる間に、コードシンボル、無線タグ等の情報を読み取り商品登録をすることができる。【解決手段】商品コード等の商品識別情報を記憶した無線タグ３２の情報を読み取る無線タグ読み取り部２１と、商品識別情報を記載したバーコード等のコードシンボル３３を読み取る光学的読み取り部１９と、前記無線タグ３２と前記コードシンボル３３から読取った情報を登録する登録部２５と、商品登録する商品４１を移動させる軌跡上に無線タグ読み取り部２１の読み取り領域４４と、光学的読み取り部１９の読み取り領域を配置したことを特徴とする。【選択図】      図１
2005234867.tif 000002
【特許請求の範囲】
【請求項１】
商品識別情報を記憶した無線タグの情報を読み取る無線タグ読み取り部と、商品識別情報を記載したコードシンボルを読み取る光学的読み取り部と、前記無線タグと前記コードシンボルから読み取った情報を登録する登録部と、商品登録する商品を移動させる軌跡上に前記無線タグ読み取り部の読み取り領域と、前記光学的読み取り部の読み取り領域を配置したことを特徴とする商品情報登録装置。
【請求項２】
商品載せ台に前記無線タグ読み取り部を備え、前記無線タグの読み取り領域の最長読み取り距離が前記商品載せ台のほぼ垂直方向になるように配置したことを特徴とする請求項1記載の商品情報登録装置。
【請求項３】
登録前の商品を入れるカゴを置く場所にカゴが置かれたことを検出するセンサ部を備え、前記カゴが置かれたことを検出すると、前記光学的読み取り部を起動させることを特徴とする請求項1または２記載の商品情報登録装置。
【請求項４】
登録前の商品を入れるカゴを置く場所にカゴが置かれたことを検出するセンサ部を備え、前記カゴが置かれたことを検出すると、前記無線タグ読み取り部を起動させることを特徴とする請求項1または２記載の商品情報登録装置。
【請求項５】
前記登録前の商品を入れるカゴを置く場所、または前記登録後の商品を入れるカゴを置く場所と、前記無線タグ読み取り部の間に、電磁波を遮蔽する遮蔽部とを備えたことを特徴とする請求項３または４記載の商品情報登録装置。
【請求項６】
前記無線タグ読み取り部が、同時に複数の無線タグを読み取ったときに、複数の無線タグを読み取ったことを報知する報知音を出力することを特徴とする請求項１記載の商品情報登録装置。
【請求項７】
前記無線タグ読み取り部が、前記無線タグを読み取って商品識別情報を取得する、または前記光学的読み取り部が、コードシンボルを読み取って商品識別情報を取得すると、前記無線タグ読み取り部と前記光学的読み取り部とを停止させることを特徴とする請求項１記載の商品情報登録装置。
【請求項８】
前記無線タグ読み取り部が、前記無線タグを読み取って商品識別情報を取得する、または前記光学的読み取り部が、前記コードシンボルを読み取って商品識別情報を取得すると、取得した商品識別情報に応じた情報を登録し、登録したことを報知する報知音を出力し、前記無線タグ読み取り部が、前記無線タグを読み取って商品識別情報を取得するとともに前記光学的読み取り部が、前記コードシンボルを読み取って商品識別情報を取得すると、前記無線タグから取得した商品識別情報に応じた情報と、前記コードシンボルから読み取った商品識別情報に応じた情報を比較して、同じ場合は商品識別情報に応じた情報を登録し、登録したことを報知する報知音を出力し、前記比較した情報が異なる場合はエラーを報知する報知音を出力することを特徴とする請求項１記載の商品情報登録装置。
【請求項９】
前記無線タグ読み取り部の読み取り領域が、前記光学的読み取り部の読み取り領域よりも前記センサ部に近い場所に配置したことを特徴とする請求項３または４記載の商品情報登録装置。
【請求項１０】
前記無線タグ読み取り部を、前記光学的読み取り部に対して、相対的に移動可能に配置することを特徴とする請求項１記載の商品情報登録装置。
【請求項１１】
前記商品情報登録が完了すると、前記無線タグ読み取り部と前記光学的読み取り部を動作させて商品識別情報を取得することを特徴とする請求項７記載の商品情報登録装置。
【請求項１２】
前記無線タグ読み取り部の読み取り領域が、前記光学的読み取り部の読み取り領域をすべて含むように配置したことを特徴とする請求項１記載の商品情報登録装置。
【請求項１３】
前記光学的読み取り部の読み取り領域が、前記無線タグ読み取り部の読み取り領域よりも前記センサ部に近い場所に配置したことを特徴とする請求項３または４記載の商品情報登録装置。
【請求項１４】
前記光学的読み取り部において、読み取り領域に商品が入ってきたことを検出する機能を有し、コードシンボルの読み取り領域に商品が入ってきたことを検出すると、前記無線タグ読み取り部を起動することを特徴とする請求項１２または１３記載の商品情報登録装置。
【請求項１５】
前記商品情報登録が完了すると、前記光学的読み取り部を動作させて商品識別情報を取得することを特徴とする請求項１４記載の商品情報登録装置。
【発明の詳細な説明】
【技術分野】
【０００１】
本発明は、例えば、商品識別情報を記憶している無線タグや情報を記載しているコードシンボルなどから情報を読み取り、商品情報を登録する商品情報登録装置に関する。
【背景技術】
【０００２】
商品情報は、商品ごとに取り付けられたバーコード情報を読取るバーコードリーダ、および、データキャリアが販売される商品に添付されている。このデータキャリアは、商品の識別データ、販売金額、製造日などデータキャリア情報として記述される。データキャリアリーダがデータキャリアから発信される搬送波に搬送されたデータキャリア情報を無線で読み取って商品の識別データ、製造日等が入力される。（例えば、特許文献１参照）。
【特許文献１】特開平１１−６６４３５号公報
【発明の開示】
【発明が解決しようとする課題】
【０００３】
しかしながら、商品登録を行うオペレータが、バーコードの付いている商品を読み取る場合には、バーコードリーダの前に商品のバーコードをかざして読み取らせる。また、無線タグの付いている商品を読み取る場合には、無線タグリーダの読み取り範囲に無線タグを移動させて読み取るようにしなければならなかった。
【０００４】
バーコードと無線タグが付いている商品と、バーコードだけ付いている商品と、無線タグだけ付いている商品が混在する店舗では、商品登録を行うオペレータが、バーコードを読み取るか、無線タグを読み取るか商品を見ながら判断しなければならない。
【０００５】
本発明の目的は、商品登録を行うオペレータが、商品をコードシンボル読み取り部および無線タグ読み取り部を移動させる間に、コードシンボルまたは無線タグの読み取り商品登録をすることができる商品情報登録装置を提供する。
【課題を解決するための手段】
【０００６】
本発明の商品情報登録装置は、商品識別情報を記憶した無線タグの情報を読み取る無線タグ読み取り部と、商品識別情報を記載したコードシンボルを読み取る光学的読み取り部と、無線タグとコードシンボルから読取った情報を登録する登録部と、商品登録する商品を移動させる軌跡上に無線タグ読み取り部の読み取り領域と、光学的読み取り部の読み取り領域を配置したことを特徴とする。
【発明の効果】
【０００７】
本発明によれば、商品を移動させる間に、コードシンボルまたは無線タグの情報を読み取り商品識別情報を登録することができる。
【発明を実施するための最良の形態】
【０００８】
以下、本発明の実施の形態について図面を参照して説明する。
【０００９】
(第1実施の形態)図1には、本実施の形態に係る商品情報登録装置の全体を示す。ＰＯＳ（Point Of Sales)ターミナル１１は、顧客向けの表示部１２と、商品登録を行うオペレータ用に表示をするターミナル表示部１３と、登録締め用のキーなどを配置したキーボードであるターミナル入力部１４を取り付けている。１５は商品載せ台であり、この商品載せ台１５のほぼ中央に定置式スキャナ装置１６をほぼ垂直に設置している。この定置式スキャナ１６には、例えば商品の商品識別コード、販売価格、消費期限日等の商品識別情報を読み取ると商品識別情報に応じた情報を表示するスキャナ表示部１７と、商品登録用のキーボードであるスキャナ入力部１８と、商品に付けられたバーコード、二次元コード等のコードシンボルを光学的に読み取る光学的読み取り部であるバーコード読み取り部１９と、商品情報の登録時にオペレータに商品登録が実行されたこと等を報知し、または、エラーを報知するスピーカ２０を取り付けている。定置式スキャナ装置１６の本体の一面には、前記バーコード読み取り部１９の読み取り領域が設けられている。
【００１０】
また、商品に付けられた無線タグと通信をして商品識別情報を読み取る無線タグ読み取り部２１と、顧客が購入する商品（登録前の商品）を入れたカゴが商品載せ台１５に置かれたことを検出するセンサ部２２とが、商品載せ台１５の内部に設けられる。無線タグ読み取り部２１は、図示しないアンテナを含む。無線タグ読み取り部２１には、商品載せ台１５のバーコード読み取り部１９より商品の移動方向に対して前方となる位置に設けられる。センサ部２２は、商品載せ台１５のバーコード読み取り部１９と無線タグ読み取り部２１よりも商品の移動方向に対して前方となる位置に設けられる。
【００１１】
顧客は、商品載せ台１５の両側面の内、ＰＯＳターミナル１１に面した側面とは反対側の側面に向かって立ち、登録前の商品を入れたカゴを商品載せ台１５のセンサ部２２が設けられた場所に置く、さらに、購入代金の決済等をするため、ＰＯＳターミナル１１側に移動する。オペレータは、商品の載せ台１５の両側面の内、ＰＯＳターミナル１１に面した側面に向かって立つ。
【００１２】
図２には、商品情報登録装置の電気的な接続を示すブロック図である。ＰＯＳターミナル１１には、予め記憶されたプログラムに従って動作する制御部２３と、客向き表示部１２と、ターミナル表示部１３と、ターミナル入力部１４と、商品識別情報とそれに対応した商品情報を記憶させておくデータベース部２４と、商品識別情報と登録された商品情報を記憶する登録部２５がある。客向き表示部１２とターミナル表示部１３とターミナル入力部１４とデータベース部２４と登録部２５とスキャナ入力部１８とスキャナ表示部１７と無線タグ読み取り部２１と光学的読み取り部であるバーコード読み取り部１９とスピーカ２０とセンサ部２２は、全て制御部２３に接続しており、制御部２３が記憶しているプログラムに従って、全ての機能を制御する。
【００１３】
図３には、商品に取り付けられる無線タグとバーコードの一例を示す。商品パッケージ３１の外側には、無線タグ３２とバーコード３３が付けられている。バーコード３３は光学的な読み取りを行うため、商品パッケージ３１の外側にある必要があるが、無線タグ３２は電磁波を用いて読み取りを行うため、商品パッケージ３１が電磁波を遮る材質でなければ商品パッケージ３１の内部に取り付けてあってもよい。バーコード３３には、商品識別情報として、国番号、メーカ番号、アイテムコード、チェックディジットが記載されている。無線タグ３２には、バーコ−ド３３と同じ情報に加えて、商品３１を単品管理できるシリアルコードが記憶されている。なお、バーコードに替わり２次元コード等のコードシンボルであってもよい。この場合には、コードシンボルに対応した光学的読み取り部１９を用いればよく、無線タグ３２にはコードシンボルに対応した情報を記憶しておけばよい。
【００１４】
図４には、商品情報を登録する際の商品の動きを説明する図である。まず、オペレータは、登録後の商品４１を入れるカゴ４２を、商品載せ台１５の、バーコード読み取り部１９よりも商品４１の移動方向に対して後方となる位置に置く。顧客が購入した商品４１を入れたカゴ４３を商品載せ台１５のセンサ部２２の上に置くと、センサ部２２ではカゴ４３が置かれたことを検知して、バーコード読み取り部１９と無線タグ読み取り部２１を起動する。
【００１５】
バーコード読み取り部１９は、起動後、バーコード読み取り部１９の前にかざされたバーコード３３を読み取る。商品情報登録装置は、カゴ４３を検知したときにバーコート読み取り部１９を起動させるため、不要な電力消費を抑えることができる。無線タグ読み取り部２１は起動後、二点鎖線で示すように、読み取り距離が商品載せ台１５にほぼ垂直方向に長くなっている無線タグ３２の読み取り領域４４を形成する。この無線タグ３２の読み取り領域４４は、商品４１がオペレータによってカゴ４３から出されて移動させられる軌跡上にある。無線タグ読み取り部２１は、読み取り領域４４を商品載せ台１５の上方向に形成させるために、無線タグ読み取り部２１の図示しないアンテナから放射される電磁波を上方向に強く放射するように設定されている。商品情報登録装置は、カゴ４３を検知したときに無線タグ読み取り部２１を起動させるため、不要な電力消費を抑えるとともに、電磁波の放射も抑えることができるので他の装置への干渉も抑えることができる。また、読み取り領域４４を商品載せ台１５の上方向に形成させるため、商品載せ台１５を移動する商品４１だけを読み取ることができる。
【００１６】
オペレータは、カゴ４３から商品４１を取り出し、矢印の方向に商品４１を移動させる。移動の間に、オペレータは、無線タグ３２の読み取り領域４４の中で、オペレータから見えない商品４１の死角部分が見えるように商品４１の方向を変えてバーコード３３が付いているかどうか調べる。そして、バーコード３３を発見すれば、バーコード３３をバーコード読み取り部１９に向くように商品４１の向きを変えてバーコード読み取り部１９まで商品４１をさらに移動する。無線タグ３２が付いた商品４１の場合、オペレータのこれらの動作の間に、無線タグ読み取り部２１が商品４１に付いた無線タグ３２から商品識別情報を読み取ることができる。バーコード３３だけ付いている商品４１の場合、バーコード読み取り部１９が商品４１に付いたバーコード３３から商品識別情報を読み取ることができる。商品情報登録装置は、読み取った商品識別情報に対応した商品情報を登録すると読み取り音を発生するので、オペレータは、その読み取り音を確認すると、カゴ４２に商品を入れる。
【００１７】
図５には、商品情報の登録処理を説明する流れ図である。カゴ４３を商品載せ台１５のセンサ部２２の上に置くと、センサ部２２がカゴ４３を検知して、バーコード読み取り部１９と無線タグ読み取り部２１を起動し、図５の登録開始になる。
【００１８】
ＳＴ１１にて、無線タグ３２を読み取つたかを判定し、読み取らなかった場合は、ＳＴ１９にて、バーコード３３を読み取つたかを判定する。ＳＴ１９にて、バーコード３３の読み取りがない場合は、ＳＴｌｌに戻る。無線タグ３２の読み取りもバーコード３３の読み取りも行わないときは、ＳＴｌｌとＳＴ１９を繰り返す。
【００１９】
ＳＴｌｌにて、無線タグ３２の読み取りを行ったときは、ＳＴ１２にて、無線タグ３２を1つだけ読み取ったかを判定する。複数の無線タグ３２を読み取った場合、ＳＴ１３にて複数の無線タグ３２を読み取っていることを知らせる警告音をスピーカ２０から出力し、オペレータに知らせる。その後、ＳＴｌｌに戻る。
【００２０】
このようにすることにより、同時に複数の無線タグ３２を読み取り、どの商品４１の無線タグ３２を読み取ったかがわからなくなることを防止できる。
【００２１】
ＳＴ１２にて、無線タグ３２を1つだけ読み取ったときは、ＳＴ１４にて、バーコード読み取り部１９と無線タグ読み取り部２１の読み取りを停止する。このようにすることにより、1つの商品４１を複数回読み取り、複数個の商品４１として登録してしまう誤りを防止することができる。
【００２２】
無線タグ３２を読み取ってからＳＴ１４の読み取り停止までの間に、バーコード３３を読み取ることがある。ＳＴ１５では、バーコード３３の読み取りがあったかどうかを判断し、バーコード３３を読み取っていない場合はＳＴ２５の処理を行う。ＳＴ１５にて、バーコード３３の読み取りがあったと判断すると、ＳＴ１６にて、無線タグ３２から読み取った商品識別情報に対応した商品情報とバーコード３３から読み取った商品識別情報に対応した商品情報が同じであるかを判断する。
【００２３】
ＳＴ１６にて、無線タグ３２からの商品情報とバーコード３３からの商品情報が異なる場合は、商品４１に取り付けられているバーコード３３または無線タグ３２の情報に誤りがあるか、２つの商品４１を読み取ってしまったことになり、ＳＴ１７にて、エラー音をスピーカ２０から出力し、オペレータに知らせる。ＳＴ１７の後に、ＳＴ１８にて、バーコード読み取り部１９と無線タグ読み取り部２１の読み取りを開始し、ＳＴｌｌに戻る。
【００２４】
ＳＴ１５にて、バーコード読み取りがないと判断した場合と、ＳＴ１６にて、無線タグ３２からの商品情報と、バーコード３３からの商品情報が一致した場合は、ＳＴ２５の処理に移る。ＳＴ２５にて、読み取った商品情報の登録を行い、ＳＴ２６にて、商品登録を行ったことをオペレータに知らせるための読み取り音をスピーカ２０から出力する。その後、ＳＴ２７にて、バーコード読み取り部１９と無線タグ読み取り部２１の読み取りを開始し、ＳＴｌｌに戻る。このようにすることにより、連続して商品登録を行うことができる。
【００２５】
ＳＴｌｌにて、無線タグ３２を読み取らず、ＳＴ１９にて、バーコード３３を読み取った場合は、ＳＴ２０にて、バーコード読み取り部１９と無線タグ読み取り部２１の読み取りを停止する。バーコード３３を読み取ってからＳＴ２０の読み取り停止までの間に、無線タグ３２を読み取ることがある。ＳＴ２１では、無線タグ３２の読み取りがあったかどうかを判断し、無線タグ３２を読み取っていない場合は、ＳＴ２５の処理を行う。ＳＴ２１にて、無線タグ３２の読み取りがあったと判断すると、ＳＴ２２にて、バーコード３３から読み取った商品識別情報に対応した商品情報と、無線タグ３２から読み取つた商品識別情報に対応した商品情報が同じであるかを判断する。
【００２６】
ＳＴ２２にて、バーコード３３からの商品情報と、無線タグ３２からの商品情報が異なる場合は、商品４１に取り付けられているバーコード３３または無線タグ３２の情報に誤りがあるか、２つの商品４１を読み取ってしまったことになり、ＳＴ２３にて、エラー音をスピーカ２０から出力し、オペレータに知らせる。ＳＴ２３の後に、ＳＴ２４にて、バーコード読み取り部１９と無線タグ読み取り部２１の読み取りを開始し、ＳＴｌｌに戻る。ＳＴ２１にて、無線タグ３２の読み取りがないと判断した場合と、ＳＴ２２にて、バーコード３３からの商品情報と無線タグ３２からの商品情報が一致した場合は、ＳＴ２５の処理に移る。ＳＴ２５にて商品情報登録を行い、ＳＴ２６にて読み取り音をスピーカ２０から出力し、ＳＴ２７にて、バーコード読み取り部１９と無線タグ読み取り部２１の読み取りを開始し、ＳＴｌｌに戻る。
【００２７】
このようにすることにより、バーコード３３と無線タグ３２が付いた商品４１を読み取るときに、両方を読み取っても1つの商品４１として登録することができ、オペレータに商品登録ができたことを確実に知らせることができる。
【００２８】
その後、次の商品登録についても、図５の流れ図に従って実行する。このようにすることにより、バーコード３３と無線タグ３２が付いている商品４１と、バーコード３３だけ付いている商品４１と、無線タグ３２だけ付いている商品４１が混在していても、オペレータが登録前の商品４１が入ったカゴ４３から登録後の商品４１を入れるカゴ４２に商品４１を移動させる間に、バーコード３３または無線タグ３２の読み取りを行い商品情報を登録することができる。
【００２９】
また、バーコード３３と無線タグ３２が付いている商品４１は、バーコード３３の印字の汚れやバーコード３３の部分が平らになっていないためにバーコード３３の読み取りが難しい商品４１でも、無線タグ３２の読み取りができるため、効率良く読み取りを行わせることができる。
【００３０】
また、無線タグ３２の読み取り領域４４をバーコード３３の読み取り領域より登録前の商品４１が入ったカゴ４３、すなわち、センサ部２２に近づけたことにより、無線タグ３２の付いている商品４１は、商品４１のバーコード３３の向きをバーコード読み取り部１９に向ける前に商品情報を登録でき、商品登録の作業効率を良くすることができる。なお、データベース部２４をＰＯＳターミナル１１の内部に配置した例を説明したが、商品識別情報とそれに対応した商品情報を店舗サーバに記憶させておき、ＰＯＳターミナル１１と店舗サーバをネットワーク接続しておき、ＰＯＳターミナル１１から商品識別情報を含む問い合わせを店舗サーバに送り、店舗サーバが対応した商品情報をＰＯＳターミナル１１に送り返すようにしてもよい。
【００３１】
また、センサ部２２は無くてもよく、バーコード読み取り部１９と無線タグ読み取り部２１が定期的に読み取り領域の読み取りを行い、オペレータがターミナル入力部１４またはスキャナ入力部１８の操作をすることによって、バーコード読み取り部１９と無線タグ読み取り部２１を起動してもよい。
【００３２】
また、無線タグ３２に記憶させる商品識別情報をバーコード３３の商品識別情報と同じデータにしておき、図５のＳＴ１６とＳＴ２２にて行う無線タグ３２からの商品情報とバーコード３３からの商品情報の比較を無線タグ３２の商品識別情報とバーコード３３の商品識別情報の比較にしてもよい。
【００３３】
また、図６に示すように、遮蔽部として、遮蔽板５１、５２を設けてもよい。図６は図４に遮蔽板５１、５２を付加した図である。登録前の商品４１の入ったカゴ４３付近に電磁波を遮蔽する遮蔽板５１を設け、登録後の商品を入れるカゴ４２付近に電磁波を遮蔽する遮蔽板５２を設ける。遮蔽板５１、５２は電磁波を完全に遮断するのではなく、無線タグ読み取り部２１から放射させる電磁波がカゴ４３内の無線タグ３２を起動できない電力に減衰させればよい。
【００３４】
そのため、遮蔽板５１、５２は、導電性の材質や無線タグ３２の通信に使用する周波数を減衰させる材質であればよい。このようにすることにより、無線タグ読み取り部２１は、カゴ４３の中の商品４１を、読み取ることが無くなり、誤った登録を減らすことができる。また、カゴ４２、４３の材質を遮蔽板５１、５２と同じようにすることにより、同様の効果を得ることができる。
【００３５】
（第２実施の形態)第１実施の形態では、定置式スキャナ１６のバーコード読み取り部１９の横に無線タグ読み取り部２１を設置する形態であり、本実施の形態では、無線タグ読み取り部２１は、バーコード読み取り部１９が設けられた定置式スキャナ１６の本体の一面と同じ面に設ける。また、無線タグ読み取り部２１は、バーコード読み取り部１９が設けられた定置式スキャナ１６の本体の一面のバーコード読み取り部１９よりも商品の移動方向に対して前方となる位置に設けられる。同一部分は同じ符号を付け詳細な説明は省略する。
【００３６】
本実施の形態に係る商品情報登録装置について図７を参照して説明する。バーコード読み取り部１９の横に無線タグ読み取り部２１を設ける。まず、オペレータは、登録後の商品を入れるカゴ４２を商品載せ台１５の上に置いておく。顧客が購入する商品４１を入れたカゴ４３を商品載せ台１５のセンサ部２２の上に置くと、センサ部２２は、カゴ４３が置かれたことを検出して、バーコード読み取り部１９と無線タグ読み取り部２１を起動する。無線タグ読み取り部２１は起動後、二点鎖線で示したように、商品載せ台１５を横断する方向に無線タグ３２の読み取り領域４４を形成する。この無線タグ３２の読み取り領域４４は、バーコード読み取り部１９と同じ高さにある。
【００３７】
オペレータは、商品４１を移動させる間に、商品４１に付いているバーコード３３をバーコード読み取り部１９に向くように商品４１の向きを変えてバーコード読み取り部１９まで商品４１を移動する。また、商品４１にバーコード３３が付いていない場合も、商品４１の向きを適当に変えてバーコード読み取り部１９まで商品４１を移動する。無線タグ３２の読み取り領域４４は、オペレータが商品４１をバーコード読み取り部１９まで移動させる軌跡上にある。したがって、商品４１に無線タグ３２が付いていれば、オペレータのこれらの動作の間に、無線タグ読み取り部２１が商品４１に付いた無線タグ３２から商品識別情報を読み取ることができる。バーコード３３だけ付いている商品４１の場合、バーコード読み取り部１９が商品４１に付いたバーコード３３から商品識別情報を読み取ることができる。
【００３８】
第１実施の形態で示したように無線タグ読み取り部２１を商品載せ台１５に設置した場合、商品載せ台１５に形成される無線タグ読み取り部２１の読み取り領域４４は、バーコード読み取り部１９の高さを超える。本実施の形態では、バーコード読み取り部１９の横に無線タグ読み取り部２１を設けるため、バーコード読み取り部１９とほぼ同じ高さで、商品載せ台１５を横断する方向に無線タグ３２の読み取り領域４４を形成する．したがって、第１実施の形態と比べて、無線タグ読み取り部２１の読み取り領域４４の読み取り距離を短くすることができる。そのため、本実施の形態の無線タグ読み取り部２１は、第１実施の形態の無線タグ読み取り部２１と比べて、電磁波を放射する部分を小型化することができる。
【００３９】
このようにすることにより、バーコード３３と無線タグ３２が付いている商品４１と、バーコード３３だけ付いている商品４１と、無線タグ３２だけ付いている商品４１が混在していても、オペレータが登録前の商品４１が入ったカゴ４３から登録後の商品４１を入れるカゴ４２に商品４１を移動させる間に、バーコード３３または無線タグ３２の読み取りが行われ商品情報を登録することができる。
【００４０】
また、無線タグ３２の読み取り領域４４をバーコード３３の読み取り領域より登録前の商品４１が入ったカゴ４３、すなわち、センサ部２２に近づけたことにより、無線タグ３２の付いている商品４１は、商品４１のバーコード３３の向きをバーコード読み取り部１９に向ける前に商品情報を登録でき、商品登録の作業効率を良くすることができる。
【００４１】
（第３実施の形態)これまでの第１、第２実施の形態では、無線タグ３２の読み取り領域４４をバーコード３３の読み取り領域より登録前の商品が入ったカゴ４３、すなわち、センサ部２２に近づけた形態であった。本実施の形態は、無線タグ読み取り部の読み取り領域が、光学的読み取り部の読み取り領域をすべて含むように配置されている。本実施の形態は、第1実施の形態の無線タグ読み取り部２１の位置を変えて設置した。同一部分は同じ符号を付け詳細な説明は省略する。
【００４２】
図８には、本実施の形態に係る商品識別情報読み取り部を示す。図９には、バーコード読み取り部１９のブロック図を示す。図に示すように、光源部６２は、バーコード３３を読み取るために使用する光を出力する。走査部６３は、光源６２から出力された光をバーコード読み取り部１９の外部に走査光として放出する。受光部６４は、走査部６３からバーコード読み取り部１９の外部に放出された光が物体に反射して戻ってきた光を受け、受光した光信号をアナログ電気信号に変換する。デコード部６５は、受光部６４で変換されたアナログ電気信号をデジタル電気信号に変換し、バーコード３３の情報をデジタル電気信号として出力する。商品検出部６６は、受光部６４で変換されたアナログ電気信号から物体の有無を判定し、判定結果をデジタル信号として出力する。
【００４３】
バーコード読み取り制御部６１は、光源６２と走査部６３とデコード部６５と商品検出部６６に接続し、バーコード読み取り部１９を制御している。また、バーコード読み取り制御部６１は、商品情報登録装置の制御部２３に接続しており、制御部２３によって制御される。
【００４４】
図１０には、アナログ信号線６７に現れるアナログ電気信号の一例を示す。横軸は時間であり、縦軸は電圧を示している。バーコード読み取り部１９の読み取り領域に商品４１がない場合は、図１０のＡ区間のように電圧は低く、ノイズレベルになっている。バーコード読み取り部１９の読み取り領域に商品４１が入ってくるとＢ区間のように電圧はノイズレベルより高くなる。この電圧は、商品４１が走査部６３から放出された光を反射する反射率に依存する。商品４１に付けられたバーコード３３が読み取り領域に入ると、Ｃ区間のようにバーコード３３の白と黒のバーの幅に従った波形が現れる。
【００４５】
商品検出部６６は、アナログ信号線６７の電圧がしきい値Ｌより低いときはＬレベルの出力をし、電圧がしきい値Ｌより高いときはＨレベルの出力をする。バーコード読み取り制御部６１は、商品検出部６６からの信号がＬレベルからＨレベルの変化したことを検出すると、制御部２３にバーコード３３の読み取り領域に商品４１が入ったことを通知する。制御部２３は、バーコード３３の読み取り領域に商品４１が入った通知を受けると、無線タグ読み取り部２１から電磁波の放射を開始させる。このようにすることにより、バーコード３３を読み取る機能で商品検出を行うことができ、商品４１が無線タグ３２の読み取り領城４４に近づいたときだけ無線タグ３２を読み取るための電磁波を出力するため、不要な電力消費を抑えることができ、他の装置への干渉も抑えることができる。
【００４６】
また、デコード部６５は、Ｃ区間の信号をデジタル化して出力する。バーコード読み取り制御部６１は、デコード部６５からのデジタル信号を受けると、そのデジタル信号を制御部２３に伝える。
【００４７】
まず、オペレータは、登録後の商品４１を入れるカゴ４２を商品載せ台１５の上に置いておく。顧客が購入する商品４１を入れたカゴ４３を商品載せ台１５のセンサ部２２の上に置くと、センサ部２２は、カゴ４３が置かれたことを検出して、バーコード読み取り部１９を起動する。このとき、無線タグ読み取り部２１は電磁波を出力していない。オペレータは、カゴ４３から商品４１を取り出し、矢印の方向に商品４１を移動させる。オペレータは、商品４１を移動させる間に、商品４１に付いているバーコード３３をバーコード読み取り部１９に向くように商品４１の向きを変えながらバーコード読み取り部１９まで商品４１を移動する。
【００４８】
また、商品４１にバーコード３３が付いていない場合も、商品４１の向きを適当に変えながらバーコード読み取り部１９まで商品４１を移動する。バーコード読み取り部１９の読み取り領域に商品４１が入ってきたことを検出すると、無線タグ読み取り部２１が，電磁波を放射し、読み取り領域４４が現れる。読み取り領域４４に商品４１の無線タグ３２が入っていると、無線タグ読み取り部２１が商品４１の無線タグ３２から商品識別情報を読み取ることができる。また、バーコード読み取り部１９の読み取り領域に商品４１のバーコード３３が移動してくると、バーコード３３から商品識別情報を読み取ることができる。
【００４９】
図１１には、商品情報の登録処理を説明する流れ図を示す。カゴ４３を商品載せ台１５のセンサ部２２の上に置くと、センサ部２２がカゴ４３を検知して、バーコード読み取り部１９を起動し、図１１の登録開始になる。ＳＴ４１にて、バーコード読み取り部１９で商品４１を検出したかを判断する。商品４１を検出しなかった場合は、ＳＴ４１の判断を繰り返す。ＳＴ４１にて商品４１を検出すると、ＳＴ４２にて、無線タグ読み取り部２１から電磁波を放射し、無線タグ３２の読み取りを可能にする。ＳＴ４３にて無線タグ３２を読み取つたかを判定し、読み取らなかつた場合は、ＳＴ４９にて、バーコード３３を読み取つたかを判定する。ＳＴ４９にて、バーコード３３の読み取りがない場合は、ＳＴ４３に戻る。無線タグ３２の読み取りもバーコード３３の読み取りも行わないときは、ＳＴ４３とＳＴ４９を繰り返す。
【００５０】
ＳＴ４３にて、無線タグ３２の読み取りを行ったときは、ＳＴ４４にて、無線タグ３２を１つだけ読み取ったかを判定する。複数の無線タグ３２を読み取った場合は、ＳＴ４７にて、複数の無線タグ３２を読み取っていることを知らせる警告音をスピーカ２０から出力し、オペレータに知らせる。その後、ＳＴ４８にて、無線タグ読み取り部２１の読み取り動作を停止させ、ＳＴ４１の商品検出に戻る。このようにすることにより、同時に複数の無線タグ３２を読み取り、どの商品４１の無線タグ３２を読み取ったかがわからなくなることを防止する。
【００５１】
ＳＴ４４にて、無線タグ３２を１つだけ読み取ったときは、ＳＴ４５にて、バーコード読み取り部１９と無線タグ読み取り部２１の読み取りを停止する。このようにすることにより、１つの商品４１を複数回読み取り、複数個の商品４１として登録してしまう誤りを防止することができる。
【００５２】
無線タグ３２の読み取りの後でＳＴ４５の読み取り停止までの間に、バーコード３３を読み取ることがある。ＳＴ４６では、バーコード３３の読み取りがあったかどうかを判断し、バーコード３３を読み取っていない場合はＳＴ５５の処理を行う。ＳＴ４６にて、バーコード３３の読み取りがあったと判断すると、ＳＴ５２にて、無線タグ３２から読み取った商品識別情報に対応した商品情報とバーコード３３から読み取った商品識別情報に対応した商品情報が同じであるかを判断する。ＳＴ５２にて、無線タグ３２からの商品情報とバーコード３３からの商品情報が異なる場合は、商品４１に取り付けられているバーコード３３または無線タグ３２の情報に誤りがあるか、２つの商品４１を読み取ってしまったことになり、ＳＴ５３にて、エラー音をスピーカ２０から出力し、オペレータに知らせる。ＳＴ５３の後に、ＳＴ５４にて、バーコード読み取り部１９の読み取りを開始し、ＳＴ４１に戻る。
【００５３】
ＳＴ４６にて、バーコード３３の読み取りがないと判断した場合と、ＳＴ５２にて、無線タグ３２からの商品情報とバーコード３３からの商品情報が一致した場合は、ＳＴ５５の処理に移る。ＳＴ５５にて、読み取った商品情報の登録を行い、ＳＴ５６にて、商品登録を行ったことをオペレータに知らせるための読み取り音をスピーカ２０から出力する。その後、ＳＴ５７にて、バーコード読み取り部１９の読み取りを開始し、ＳＴ４１に戻る。このようにすることにより、連続して商品登録を行うことができる。
【００５４】
ＳＴ４３にて、無線タグ３２を読み取らず、ＳＴ４９にて、バーコード３３を読み取った場合は、ＳＴ５０にて、バーコード読み取り部１９と無線タグ読み取り部２１の読み取りを停止する。このようにすることにより、１つの商品４１を複数回読み取り、複数個の商品４１として登録してしまう誤りを防止することができる。
【００５５】
バーコード３３の読み取り後で、ＳＴ５０の読み取り停止までの間に、無線タグ３２を読み取ることがある。ＳＴ５１にて、無線タグ３２の読み取りがあったかどうかを判断し、無線タグ３２を読み取っていない場合は、ＳＴ５５以降の処理を行う。ＳＴ５１にて、無線タグ３２の読み取りがあったと判断すると、ＳＴ５２以降の処理を行う。その後、ＳＴ４１に戻り、次の商品登録が可能になる。このようにすることにより、バーコード３３と無線タグ３２が付いている商品４１の読み取り時に、両方を読み取っても１つの商品４１として登録することができ、オペレータに商品情報が登録できたことを確実に知らせる
ことができる。
【００５６】
このようにすることにより、バーコード３３と無線タグ３２が付いている商品４１と、バーコード３３だけ付いている商品４１と、無線タグ３２だけ付いている商品４１が混在していても、オペレータは、登録前の商品４１が入ったカゴ４３から登録後の商品４１を入れるカゴ４２に商品４１を移動させる間に、バーコード３３または無線タグ３２の読み取った商品情報を登録することができる。
【００５７】
また、バーコード３３と無線タグ３２が付いている商品４１では、バーコード３３の印字の汚れや、バーコード３３の部分が平らになっていないためにバーコード読み取りが難しい商品４１でも、無線タグ３２の読み取りができるため、効率良く読み取りを行わせることができる。
【００５８】
また、バーコード読み取り部１９付近に無線クグ３２の読み取り領域４４があるため、オペレータが視覚的に読み取り領域４４を認識することができるため、登録作業を効率良く行うことができる。
【００５９】
（第４実施の形態)第３の実施の形態では、無線タグ３２の読み取り領域４４の中にバーコード３３の読み取り領域が含まれる形態であった。本実施の形態は、無線タグ３２の読み取り領域４４をバーコード３３の読み取り領域より登録後の商品４１を入れるカゴ４２、すなわち、センサ部２２に近づけた形態であり、同一部分は同じ符号を付け詳細な説明は省略する。
【００６０】
図１２には、本実施の形態に係る商品識別情報読み取り部を示す。バーコード読み取り部１９は第3実施の形態と同じように読み取り領域に商品４１が入ったことを検出でき、商品検出後に無線タグ読み取り部２１が起動する。まず、オペレータは、登録後の商品４１を入れるカゴ４２を商品載せ台１５の上に置く。顧客が購入する商品４１を入れたカゴ４３を商品載せ台１５のセンサ部２２の上に置くと、センサ部２２は、カゴが置かれたことを検出して、バーコード読み取り部１９を起動する。このとき、無線タグ読み取り部２１は電磁波を出力していない。
【００６１】
オペレータは、カゴ４３から商品４１を取り出し、矢印の方向に商品４１を移動させる。オペレータは、商品４１を移動させる間に、商品４１に付いているバーコード３３をバーコード読み取り部１９に向くように商品４１の向きを変えながらバーコード読み取り部１９まで商品４１を移動する。また、商品４１にバーコード３３が付いていない場合、商品の向きを適当に変えながらバーコード読み取り部１９まで商品４１を移動する。バーコード読み取り部１９の読み取り領域に商品４１が入ってきたことを検出すると、無線タグ読み取り部２１が電磁波を放射し、無線タグ３２の読み取り領域４４が現れる。このようにすることにより、商品４１が無線タグ３２の読み取り領域４４に近づいたときだけ無線タグ３２を読み取るための電磁波を出力するため、不要な消費電力を抑えることができ、他の装置への干渉も抑えることができる。
【００６２】
バーコード読み取り部１９にて、商品４１のバーコード３３を読み取ることができる。バーコード読み取り部１９にて商品４１のバーコード３３を読み取ることができなかつた場合は、無線タグ読み取り領域４４に商品４１に付けられた無線タグ３２が入ると、無線タグ読み取り部２１にて、商品４１の無線タグ３２から商品識別情報を読み取ることができる。
【００６３】
商品識別情報の読み取りと登録の手順は、第３実施の形態で説明した図１１の手順と同じであり、同様の効果を得ることができる。このようにすることにより、バーコード３３と無線タグ３２が付いている商品４１と、バーコード３３だけ付いている商品４１と、無線タグ３２だけ付いている商品４１が混在していても、オペレータは、登録前の商品４１が入ったカゴ４３から登録後の商品４１を入れるカゴ４２に商品４１を移動させる間に、バーコード３３または無線タグ３２の読み取った商品情報を登録することができる。
【００６４】
また、バーコード３３と無線タグ３２が付いている商品４１では、バーコード３３の印字の汚れや、バーコード３３部分が平らになっていないためにバーコード３３の読み取りが難しい商品４１でも、無線タグ３２の読み取りができるため、効率良く読み取りを行わせることができる。
【００６５】
特に、バーコード３３の付いている商品４１が多く、無線タグ３２の付いている商品４１が少ない店舗では、オペレータがバーコード３３を読ませることが多いため、本実施の形態を使用することにより、効率良く登録作業を行うことができる。
【００６６】
（第５実施の形態)これまでの第１〜第４実施の形態では、無線タグ読み取り部２１が固定されていた。本実施の形態は、無線タグ読み取り部２１を移動させることができる形態であり、同一部分は同じ符号を付け詳細な説明は省略する。
【００６７】
図１３には、本実施の形態に係る商品識別情報読み取り部の図を示す。無線タグ読み取り部２１の読み取り領域４４と、バーコード読み取り部１９の読み取り領域との配置を、バーコード読み取り部１９に対して、無線タグ読み取り部２１を相対的に移動可能にしている。すなわち、無線タグ読み取り部２１を登録前の商品４１を入れるカゴ４３の方向、または、登録後の商品４１を入れるカゴ４２の方向に移動させる構成になっている。具体的には、商品載せ台１５の下に無線クグ読み取り部２１を固定するネジ７２がある。固定部７１は、商品載せ台１５に固定されている。ネジ７２を緩めると、図のＳ方向に無線タグ読み取り部２１とともに移動させることができる。適当な位置に無線クグ読み取り部２１を移動させ、ネジ７２を締めると、無線タグ読み取り部２１とネジ７２を固定部７１に固定させることができる。
【００６８】
バーコード３３の付いている商品４１が多く、無線タグ３２の付いている商品４１が少ない店舗では、無線タグ読み取り部２１を第４実施の形態と同様の位置になるように固定して使用すればよい。無線タグ３２の付いている商品４１が半分くらいを占める店舗では、第３実施の形態と同様の位置になるように固定して使用すればよい。無線タグ３２の付いている商品４１が多い店舗では、無線タグ読み取り部２１を第１実施の形態と同様の位置になるように固定して使用すればよい。
【００６９】
また、無線タグ３２の付いている商品数が徐々に増えていく店舗では、無線タグ読み取り部２１の位置を始めは第４実施の形態と同様にして、無線タグ３２の付いている商品４１が多くなったときに第１実施の形態と同様の位置にすることができる。
【００７０】
また、商品情報登録処理は、第１実施の形態で説明した手順でよいが、無線タグ読み取り部２１を固定した位置に応じて第３実施の形態で説明した手順と切換えを行ってもよい。このようにすることにより、店舗での無線タグ３２の普及率に合わせて、無線タグ読み取り部２１の位置を最適化することができ、オペレータが効率良く商品登録作業を行うことができる。
【００７１】
以上説明したように、本発明は、前記実施の形態に限定されるものではなく、実施の段階ではその要旨を逸脱しない範囲で種々に変形することが可能であることは言うまでもない。
【図面の簡単な説明】
【００７２】
【図１】本発明の第1の実施の形態に係る商品情報登録装置の外観図。
【図２】同実施の形態に係る商品情報登録装置のブロック図。
【図３】同実施の形態に係る商品に付ける無線タグとバーコードの外観図。
【図４】同実施の形態に係る商品情報読み取りを説明する図。
【図５】同実施の形態に係る商品情報登録処理を説明する流れ図。
【図６】同実施の形態に係る商品情報読み取りを説明する図。
【図７】本発明の第２の実施の形態に係る商品情報読み取りを説明する図。
【図８】本発明の第３の実施の形態に係る商品情報読み取りを説明する図。
【図９】同実施の形態に係るバーコード読み取り部のブロック図。
【図１０】同実施の形態に係る受光部のアナグロ電気信号を説明する図。
【図１１】同実施の形態に係る商品情報登録処理を説明する流れ図。
【図１２】本発明の第４の実施の形態に係る商品情報読み取りを説明する図。
【図１３】本発明の第５の実施の形態に係る商品情報読み取りを説明する図。
【符号の説明】
【００７３】
１５…商品載せ台、１９…光学的読み取り部（バーコード読み取り部）、２０…スピーカ（報知音）、２１…無線タグ読み取り部、２２…センサ部、２３…制御部、２４…データベース部、２５…登録部、３２…無線タグ、３３…コードシンボル（バーコード）、４２…カゴ、４３…カゴ、４４…無線タグ読み取り領域、５１…遮蔽板、５２…遮蔽板。
【図１】
2005234867.tif 000003
【図２】
2005234867.tif 000004
【図３】
2005234867.tif 000005
【図４】
2005234867.tif 000006
【図５】
2005234867.tif 000007
【図６】
2005234867.tif 000008
【図７】
2005234867.tif 000009
【図８】
2005234867.tif 000010
【図９】
2005234867.tif 000011
【図１０】
2005234867.tif 000012
【図１１】
2005234867.tif 000013
【図１２】
2005234867.tif 000014
【図１３】
2005234867.tif 000015